(57)【要約】【課題】取り外し可能なハンドル付きのボディウォッシュ補助用具を提供する。【解決手段】本発明の取り外し可能なハンドル付きのボディウォッシュ補助用具は、ボディウォッシュボール及びハンドルを備える。ボディウォッシュボールはベースを有し、ベースは第一背板及び第二背板が相互に堆積されることにより形成される。第一背板は等等間隔で配列される複数の第一リブ部を有し、第二背板は等等間隔で配列される複数の第二リブ部を有し、第一リブ部と第二リブ部との間は交錯するように配列される。第一リブ部及び第二リブ部は第一ドッキング部及び第二ドッキング部をそれぞれ有し、ハンドルは第二背板の内の１つの第二リブ部に取り外し可能に装設される。これにより、本発明は、一方で使用者がハンドルを使用して身体の各部位を洗うようにボディウォッシュボールを操作可能となり、また一方では第一ドッキング部及び第二ドッキング部の組み合わせにより同じ構造を有する他のボディウォッシュボールを着接可能となり、洗える面積が広がる。【選択図】図７
2019025327.tif 000002
【特許請求の範囲】
【請求項１】
ベース及びボディウォッシュボール本体を有し、前記ベースは第一背板及び第二背板を有し、前記第一背板は第一固定部及び複数の第一リブ部を有し、前記複数の第一リブ部は前記第一固定部の外周縁から外に向けて延伸されると共に前記第一固定部に対して等角度で等間隔で配列され、各前記第一リブ部は第一ドッキング部を有し、前記第二背板は第二固定部及び複数の第二リブ部を有し、前記第二固定部の正面は前記第一背板の前記第一固定部の裏面に連接され、前記複数の第二リブ部は前記第二固定部の外周縁から外に向けて延伸されると共に前記第二固定部に対して等角度で等間隔で配列され、且つ前記第一背板の前記複数の第一リブ部との間に交錯して配列され、各前記第二リブ部は第二ドッキング部を有し、前記第二ドッキング部及び前記第一背板の第一ドッキング部は互いに適合し、前記ボディウォッシュボール本体は前記ベースの前記第一背板の正面に設置されるボディウォッシュボールと、
第三ドッキング部を有し、前記第三ドッキング部を利用して前記ボディウォッシュボールの前記ベースの前記第二背板の内の１つの前記第二ドッキング部に取り外し可能に設置されるハンドルとを備えることを特徴とするボディウォッシュ補助用具。
【請求項２】
前記第一背板の第一ドッキング部及び前記ハンドルの前記第三ドッキング部は共にボスであり、前記第二背板の前記第二ドッキング部は貫通孔であることを特徴とする請求項１に記載のボディウォッシュ補助用具。
【請求項３】
前記ボディウォッシュボールは吸着部及び支持部を備える吸盤を更に有し、前記支持部の一端は前記吸着部に連結され、前記支持部の他端は前記ベースの前記第二背板の前記第二固定部の裏面に連結され、前記ハンドルは前記第三ドッキング部の上方に位置される係合溝を有し、前記ハンドルは前記係合溝を介して前記吸盤の前記支持部に係合されることを特徴とする請求項２に記載のボディウォッシュ補助用具。
【請求項４】
前記ボスは大径部及び前記大径部に連接される小径部を有し、前記貫通孔は大孔部及び前記大孔部が接する小孔部を有し、前記ボスの前記大径部及び小径部は前記貫通孔の前記大孔部及び前記小孔部内にそれぞれ位置されることを特徴とする請求項２に記載のボディウォッシュ補助用具。
【請求項５】
前記ハンドルは前記第三ドッキング部の上方に位置される突起部及び前記突起部に設置される第四ドッキング部を更に有し、前記ハンドルは前記突起部を介して前記ベースの前記第二背板の内の隣接する２つの前記第二リブ部の間に嵌合され、且つ前記第四ドッキング部を利用して前記ボディウォッシュボールの前記ベースの前記第一背板の内の１つの前記第一ドッキング部に取り外し可能に設置されることを特徴とする請求項１に記載のボディウォッシュ補助用具。
【請求項６】
前記第一背板の前記第一ドッキング部及び前記ハンドルの前記第三ドッキング部は共にボスであり、前記第二背板の前記第二ドッキング部及び前記ハンドルの前記第四ドッキング部は共に貫通孔であることを特徴とする請求項５に記載のボディウォッシュ補助用具。
【請求項７】
前記ボスは大径部及び前記大径部に連接される小径部を有し、前記貫通孔は大孔部及び前記大孔部が接する小孔部を有し、前記ボスの前記大径部及び前記小径部は前記貫通孔の前記大孔部及び前記小孔部にそれぞれ対応させることを特徴とする請求項６に記載のボディウォッシュ補助用具。
【請求項８】
前記ハンドルは前記第三ドッキング部に並設される第四ドッキング部を更に有し、前記ハンドルは前記第四ドッキング部を利用して前記ボディウォッシュボールの前記ベースの前記第一背板の内の１つの前記第一ドッキング部に取り外し可能に設置されることを特徴とする請求項１に記載のボディウォッシュ補助用具。
【請求項９】
前記ハンドルの上端は第一ラグ及び前記第一ラグに並列するように隣接する第二ラグを有し、前記第一ラグの厚さは前記第二ラグの厚さより薄く、前記第三ドッキング部は前記第一ラグに設置され、前記第四ドッキング部は前記第二ラグに設置され、前記ハンドルは前記第二ラグを介して前記ベースの前記第二背板の内の隣接する２つの前記第二リブ部の間に嵌合されることを特徴とする請求項８に記載のボディウォッシュ補助用具。
【請求項１０】
前記第一背板の前記第一ドッキング部及び前記ハンドルの前記第三ドッキング部は共にボスであり、前記第二背板の前記第二ドッキング部及び前記ハンドルの前記第四ドッキング部は共に貫通孔であることを特徴とする請求項９に記載のボディウォッシュ補助用具。
【請求項１１】
前記ボスは大径部及び前記大径部に連接される小径部を有し、前記貫通孔は大孔部及び前記大孔部が接する小孔部を有し、前記ボスの前記大径部及び前記小径部は前記貫通孔の前記大孔部及び前記小孔部にそれぞれ対応させることを特徴とする請求項１０に記載のボディウォッシュ補助用具。
【請求項１２】
前記ハンドルは間隔を空けて設置される２つの第四ドッキング部を更に有し、前記第三ドッキング部は前記２つの第四ドッキング部の間に位置され、前記ハンドルは前記２つの第四ドッキング部を利用して前記ボディウォッシュボールの前記ベースの前記第一背板の対応する２つの第一ドッキング部に取り外し可能に設置されることを特徴とする請求項１に記載のボディウォッシュ補助用具。
【請求項１３】
前記ハンドルの上端には第一ラグと、前記第一ラグに対する第二ラグと、前記第一ラグ及び前記第二ラグに連結される接合部とを有し、前記第一ラグ及び前記第二ラグの厚さは共に前記接合部の厚さより厚く、前記第三ドッキング部は前記接合部に設置され、前記２つの第四ドッキング部は前記第一ラグ及び前記第二ラグにそれぞれ設置され、前記ハンドルは前記第一ラグ及び前記第二ラグを介して前記ベースの前記第二背板の内の隣接する２つの前記第二リブ部の間にそれぞれ嵌合されることを特徴とする請求項１２に記載のボディウォッシュ補助用具。
【請求項１４】
前記第一背板の前記第一ドッキング部及び前記ハンドルの前記第三ドッキング部は共にボスであり、前記第二背板の前記第二ドッキング部及び前記ハンドルの前記第四ドッキング部は共に貫通孔であることを特徴とする請求項１３に記載のボディウォッシュ補助用具。
【請求項１５】
前記ボスは大径部及び前記大径部に連接される小径部を有し、前記貫通孔は大孔部及び前記大孔部が接する小孔部を有し、前記ボスの前記大径部及び前記小径部は前記貫通孔の前記大孔部及び前記小孔部にそれぞれ対応させることを特徴とする請求項１４に記載のボディウォッシュ補助用具。
【請求項１６】
前記第一背板の第一ドッキング部はボスであり、前記第二背板の前記第二ドッキング部は貫通孔であり、前記ハンドルの上端はスロット及び前記スロットに連通される位置決め孔を有し、前記スロット及び前記位置決め孔が共同で前記第三ドッキング部を形成させ、前記ボディウォッシュボールは前記ベースの前記第二背板の内の１つの前記第二リブ部により前記ハンドルの前記スロット内に挿設されると共に位置決めピンにより前記ハンドルに固定され、前記位置決めピンは前記ハンドルの前記位置決め孔及び前記位置決め孔に対応させる前記第二ドッキング部に設置されることを特徴とする請求項１に記載のボディウォッシュ補助用具。
【請求項１７】
前記位置決め孔の孔壁の両端にはフランジをそれぞれ有し、前記位置決めピンは対応し合う２つのヘッド部及び前記２つのヘッド部に連接される胴部を有し、前記２つのヘッド部は前記位置決め孔のフランジにそれぞれ当接され、前記胴部は前記ハンドルの前記位置決め孔及び前記位置決め孔に対応させる前記第二ドッキング部に緊密に貫設されることを特徴とする請求項１６に記載のボディウォッシュ補助用具。
【請求項１８】
前記ボスは大径部及び前記大径部に連接される小径部を有し、前記貫通孔は大孔部及び前記大孔部が接する小孔部を有し、前記ボスの前記大径部及び前記小径部は前記貫通孔の前記大孔部及び前記小孔部にそれぞれ対応させることを特徴とする請求項１６に記載のボディウォッシュ補助用具。
【請求項１９】
前記第一背板の第一ドッキング部はボスであり、前記第二背板の前記第二ドッキング部は貫通孔であり、前記ハンドルの上端には開放溝及び前記開放溝に連通される位置決め孔を有し、前記開放溝及び前記位置決め孔が共同で前記第三ドッキング部を形成させ、前記ボディウォッシュボールは前記ベースの前記第二背板の内の１つの前記第二リブ部により前記ハンドルの前記開放溝に内設されると共に位置決めピンにより前記ハンドルに固定され、前記位置決めピンは前記ハンドルの前記位置決め孔及び前記位置決め孔に対応させる前記第二ドッキング部に設置されることを特徴とする請求項１に記載のボディウォッシュ補助用具。
【請求項２０】
前記位置決めピンは隣接する２つのヘッド部及び前記２つのヘッド部に連接される胴部を有し、前記２つのヘッド部は前記ハンドルの正面及び前記第二背板の裏面にそれぞれ当接され、前記胴部は前記ハンドルの前記位置決め孔及び前記位置決め孔に対応させる前記第二ドッキング部に緊密に貫設されることを特徴とする請求項１９に記載のボディウォッシュ補助用具。
【請求項２１】
前記ボスは大径部及び前記大径部に連接される小径部を有し、前記貫通孔は大孔部及び前記大孔部が接する小孔部を有し、前記ボスの前記大径部及び前記小径部は前記貫通孔の前記大孔部及び前記小孔部にそれぞれ対応させることを特徴とする請求項１９に記載のボディウォッシュ補助用具。
【発明の詳細な説明】
【技術分野】
【０００１】
本発明は、ボディウォッシュ補助用具に関し、更に詳しくは、使用者がボディウォッシュボールを容易に操作して身体の各部位を洗えるようにする取り外し可能なハンドル付きのボディウォッシュ補助用具に関する。
【背景技術】
【０００２】
よくある一般的なボディウォッシュ補助用具（例えば、ボディウォッシュボールまたはスポンジ等）は、使用者が直接手で持って使用し、手で前述のボディウォッシュ補助用具を身体の各部位に移動させて往復させることで身体を洗う目的を達成させている。然しながら、身体を洗う過程では、背中に洗いにくい多くの死角ができるため、前述のボディウォッシュ補助用具を手で持って背中を徹底的に洗うのは難しかった。
【０００３】
以上の課題を解決する為に、従来の特許文献では、例えば、特許文献１に記載されている「浴室付属品」は、主にベースの裏面に複数の吸盤が設置され、使用時には吸盤によりベースが浴室の壁面に固定され、使用者が自分で身体を移動させることで背中を洗う効果を達成させている。但し、前述の浴室付属品はサイズが固定されており、実際に洗える面積は大きく制限されており、その洗う効果は理想的とは言えない。また、例えば、特許文献２に記載されている「入浴用品」は、主に着接方式で洗う面積を変えているが、但し、その構造は吸盤の前端のみがベースの固定溝内に嵌設されるため、吸盤が脱落しやすく、使用上不便であった。
【先行技術文献】
【特許文献】
【０００４】
【特許文献１】米国特許出願公開第5,175,896号明細書
【特許文献２】米国特許出願公開第7,500,282号明細書
【発明の概要】
【発明が解決しようとする課題】
【０００５】
そこで、本発明者は上記の欠点が改善可能と考え、鋭意検討を重ねた結果、合理的設計で上記の課題を効果的に改善する本発明の提案に到った。
【０００６】
本発明は、このような従来の問題に鑑みてなされたものであり、その目的とすることろは、ボディウォッシュ補助用具を提供することである。換言すれば、取り外し可能なハンドルを有し、使用者がボディウォッシュボールを便利に操作して身体の各部位を洗えるようにする。
【課題を解決するための手段】
【０００７】
上記課題を解決するために、本発明のある態様のボディウォッシュ補助用具は、ボディウォッシュボール及びハンドルを備える。前記ボディウォッシュボールは第一背板及び第二背板を有するベースを含み、前記第一背板の正面にはボディウォッシュボール本体が設置される。前記第一背板は第一固定部及び複数の第一リブ部を有し、前記複数の第一リブ部は前記第一固定部の外周縁から外に向けて延伸されると共に前記第一固定部に対して等角度で等間隔で配列される。前記第二背板は第二固定部及び複数の第二リブ部を有し、前記第二固定部の正面は前記第一背板の第一固定部の裏面に連接され、前記第一背板及び前記第二背板は相互に堆積される。前記複数の第二リブ部は前記第二固定部の外周縁から外に向けて延伸されると共に前記第二固定部に対して等角度で等間隔で配列され、且つ前記第一背板の前記複数の第一リブ部との間に交錯して配列される。また、各前記第一リブ部は第一ドッキング部を有し、各前記第二リブ部は第二ドッキング部を有し、前記第一ドッキング部及び第二ドッキング部は互いに適合する構造であり、例えば、ボス及び貫通孔である。前記ハンドルは第三ドッキング部を有し、前記ハンドルは前記第三ドッキング部を介して前記ボディウォッシュボールのベースの第二背板の内の１つの前記第二ドッキング部に取り外し可能に設置される。
【０００８】
上述するように、本発明のボディウォッシュ補助用具は使用者が前記ハンドルを使用して前記ボディウォッシュボールを操作し、前記ボディウォッシュボールにより背中、足の裏、或いは他の部位を徹底的に洗うことができ、使用が便利になる。また、本発明のボディウォッシュ補助用具が提供するボディウォッシュボールは前記第一ドッキング部と第二ドッキング部との間の構造の組み合わせにより同じ構造を有する他のボディウォッシュボールを着接可能になり、洗う面積を広げる効果を達成させる。
【０００９】
好ましくは、前記ボディウォッシュボールは吸着部及び支持部を有する吸盤を更に備える。前記支持部の一端は前記吸着部に連結され、前記支持部の他端は前記ベースの第二背板の第二固定部の裏面に連結される。前記ハンドルは前記第三ドッキング部の上方に位置される係合溝を有し、前記ハンドルは前記係合溝を介して前記吸盤の支持部に係合され、前記ボディウォッシュボールが前記ハンドルに対して回転しないように制限される。
【００１０】
好ましくは、前記ボディウォッシュボールのベースの第一背板の第一ドッキング部はボスであり、前記ハンドルは前記第三ドッキング部の上方に位置される突起部及び前記突起部に設置される第四ドッキング部を更に有する。前記第四ドッキング部は貫通孔であり、前記ハンドルは前記突起部を介して前記ボディウォッシュボールのベースの第二背板の隣接する２つの第二リブ部の間に定位するように嵌合される。前記ハンドルは前記第四ドッキング部を介して前記ボディウォッシュボールのベースの第一背板の内の１つの前記第一ドッキング部に取り外し可能に設置され、前記ボディウォッシュボールが前記ハンドルに結合された後に勝手に回転しないようになる。
【００１１】
好ましくは、前記ボディウォッシュボールのベースの第一背板の第一ドッキング部はボスであり、前記ハンドルは前記第三ドッキング部に並設される第四ドッキング部を更に有する。前記ハンドルは前記第四ドッキング部を介して前記ボディウォッシュボールのベースの第一背板の内の１つの前記第一ドッキング部に取り外し可能に設置され、前記ボディウォッシュボールが前記ハンドルに結合された後に勝手に回転しないようになる。
【００１２】
好ましくは、前記ボディウォッシュボールのベースの第一背板の第一ドッキング部はボスであり、前記ハンドルは左右に間隔を空けて設置される２つの第四ドッキング部を更に有する。前記第四ドッキング部は貫通孔であり、前記第三ドッキング部は前記２つの第四ドッキング部の間に位置される。前記ハンドルは前記２つの第四ドッキング部を介して前記ボディウォッシュボールのベースの第一背板の左右の対応する２つの第一ドッキング部に取り外し可能に設置され、前記ボディウォッシュボールが前記ハンドルに結合された後に勝手に回転しないようになる。
【００１３】
好ましくは、前記ボディウォッシュボールのベースの第二背板の第二ドッキング部は貫通孔であり、前記ハンドルの上端にはスロット及び前記スロットに連通される位置決め孔を有し、前記スロット及び前記位置決め孔が共同で前記第三ドッキング部を形成させる。前記第二背板の内の１つの前記第二リブ部は前記ハンドルのスロット内に挿設されると共に前記位置決め孔に設置される位置決めピンにより前記ハンドルに固定され、前記ボディウォッシュボールが前記ハンドルに結合された後に勝手に回転しないようになる。
【００１４】
好ましくは、前記ボディウォッシュボールのベースの第二背板の第二ドッキング部は貫通孔であり、前記ハンドルの上端には開放溝及び前記開放溝に連通される位置決め孔を有し、前記開放溝及び前記位置決め孔が共同で前記第三ドッキング部を形成させる。前記第二背板の内の１つの前記第二リブ部は前記ハンドルの開放溝に内設されると共に前記位置決め孔に設置される位置決めピンにより前記ハンドルに固定され、前記ボディウォッシュボールが前記ハンドルに結合された後に勝手に回転しないようになる。
【図面の簡単な説明】
【００１５】
【図１】本発明の第１実施形態によるボディウォッシュ補助用具を示す裏面概略図である。
【図２】本発明の第１実施形態によるボディウォッシュ補助用具を示す傾斜分解図である。
【図３】本発明の第１実施形態によるボディウォッシュ補助用具のベースを示す正面傾斜図である。
【図４】本発明の第１実施形態によるボディウォッシュ補助用具のベースを示す裏面傾斜図である。
【図５】本発明の第１実施形態によるボディウォッシュ補助用具を示す一部断面図であって、ベースの第二ドッキング部及びハンドルの第二ドッキング部の間の関係図を示す。
【図６】本発明の第２実施形態によるボディウォッシュ補助用具を示す裏面概略図である。
【図７】本発明の第２実施形態によるボディウォッシュ補助用具を示す傾斜分解図である。
【図８】本発明の第２実施形態によるボディウォッシュ補助用具を示す一部断面図であって、ベースの第一ドッキング部及びハンドルの第四ドッキング部の間の関係図を示す。
【図９】本発明の第３実施形態によるボディウォッシュ補助用具を示す裏面概略図である。
【図１０】本発明の第３実施形態によるボディウォッシュ補助用具を示す傾斜分解図である。
【図１１】本発明の第４実施形態によるボディウォッシュ補助用具を示す裏面概略図である。
【図１２】本発明の第４実施形態によるボディウォッシュ補助用具を示す傾斜分解図である。
【図１３】本発明の第５実施形態によるボディウォッシュ補助用具（ボディウォッシュボール省略）を示す外観傾斜図である。
【図１４】図１３の傾斜分解図である。
【図１５】本発明の第５実施形態によるボディウォッシュ補助用具を示す一部組み合わせ断面図である。
【図１６】本発明の第５実施形態によるボディウォッシュ補助用具（ボディウォッシュボール省略）を示す正面図であり、異なるボディウォッシュボールのベースがお互いをつなぎ合わせた状態である。
【図１７】本発明の第６実施形態によるボディウォッシュ補助用具（ボディウォッシュボール省略）を示す外観傾斜図を示す。
【図１８】図１７の傾斜分解図である。
【図１９】本発明の第６実施形態によるボディウォッシュ補助用具を示す一部組み合わせ断面図である。
【発明を実施するための形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。さらに、本明細書の内容に記載される「正」、「背」、「上」、「外」等の方向を表す形容詞は、正常に使用する場合の方向を基準として例示して説明するための用語にすぎず、主張の範囲を制限する意図はない。 
【実施例１】
【００１７】
以下に、図１〜５を参照しながら、本発明の第１実施形態を詳しく説明する。本発明の第１実施形態によるボディウォッシュ補助用具１０は、ボディウォッシュボール２０及びハンドル４０を備える（図１及び図２参照）。 
【００１８】
ボディウォッシュボール２０はベース２１を備え、図３及び図４に示されるように、ベース２１は第一背板２２及び第二背板２６を有する。第一背板２２は第一固定部２３及び３つの第一リブ部２４を有し、この３つの第一リブ部２４は第一固定部２３の外周縁から外に向けて延伸されると共に第一固定部２３に対して等角度で等間隔で配列される。また、各第一リブ部２４の裏面には第一ドッキング部２５を有し、第一ドッキング部２５は本実施形態においてはボスであり、ボスは大径部２５２及び大径部２５２に連接される小径部２５４を有する。第二背板２６は第二固定部２７及び３つの第二リブ部２８を有し、この３つの第二リブ部２８は第二固定部２７の外周縁から外に向けて延伸されると共に第二固定部２７に対して等角度で等間隔で配列される。また、各第二リブ部２８は第二ドッキング部２９を有し、第二ドッキング部２９は本実施形態においては正面及び裏面の両面を貫通させる貫通孔であり、第二ドッキング部２９（貫通孔）は第一背板２２の第一ドッキング部２５（ボス）に適合する構造であり、大孔部２９２及び大孔部２９２に接する小孔部２９４を有する。貫通孔の大孔部２９２及び小孔部２９４はボスの大径部２５２及び小径部２５４にそれぞれ対応させる。第一背板２２に結合される場合、第二背板２６は第二固定部２７の正面が第一背板２２の第一固定部２３の裏面に連接されるため、第一背板２２と第二背板２６との間は前後に堆積される方式で固定され、且つ第二背板２６の第二リブ部２８と第一背板２２の第一リブ部２４との間が交錯して配列される。
【００１９】
続いて、図１及び図２に示されるように、ボディウォッシュボール２０はボディウォッシュボール本体３０及び吸盤３２を更に有する。ボディウォッシュボール本体３０は管状メッシュ体で製造されると共にベース２１の第一背板２２の正面に固定され、ボディウォッシュボール本体３０は主に身体を洗う効果を提供する。吸盤３２は吸着部３４及び支持部３６を有し、支持部３６の一端は吸着部３４に連結され、支持部３６の他端はベース２１の第二背板２６の第二固定部２７の裏面に連結される。吸盤３２は主にボディウォッシュボール２０を浴室の壁面または地面に固定させるために用いられる。
【００２０】
続いて、ハンドル４０は第三ドッキング部４１及び第三ドッキング部４１の上方に位置される係合溝４２を有する。第三ドッキング部４１の構造は第二背板２６の第二ドッキング部２９（貫通孔）に適合するボスである。このため、ボディウォッシュボール２０に装設される際に、図１、図２、及び図５に示されるように、ハンドル４０が第三ドッキング部４１によりボディウォッシュボール２０のベース２１の第二背板２６の内の１つの第二ドッキング部２９に係合されるほか、同時に係合溝４２により吸盤３２の支持部に係合され、ボディウォッシュボール２０がハンドル４０に対して回転しないように制限される。装設完成後に、使用者はハンドル４０を使用してボディウォッシュボール２０を操作し、ボディウォッシュボール２０により背中、足の裏、或いは他の部位を徹底的に洗うことができ、使用が便利になる。
【実施例２】
【００２１】
一方、ハンドルは異なる構造に変化することでボディウォッシュボール２０を装設可能になる。第２実施形態では、ハンドル５０は第三ドッキング部５１の上方に位置される突起部５２及び突起部５２に設置される第四ドッキング部５３を有し、第四ドッキング部５３は第２実施形態においては第一背板２２の第一ドッキング部２５（ボス）に適合する貫通孔である（図６乃至図８参照）。ボディウォッシュボール２０に装設される場合、ハンドル５０は一方で突起部５２によりベース２１の第二背板２６の内の隣接する２つの第二リブ部２８の間に定位するように嵌合され、もう一方では上下に対応する第四ドッキング部５３及び第三ドッキング部５１によりベース２１の内の上下に対応する２つの第一ドッキング部２５及び第二ドッキング部２９にそれぞれ係合される。このため、上述の構造によりボディウォッシュボール２０がハンドル５０に結合された後に勝手に回転しないようになる。
【実施例３】
【００２２】
第３実施形態では、ハンドル６０の上端には第一ラグ６１及び第一ラグ６１に並列するように隣接される第二ラグ６２を有し、第一ラグ６１の厚さは第二ラグ６２より薄い（図９及び図１０参照）。また、ハンドル６０の第一ラグ６１及び第二ラグ６２は第三ドッキング部６３（図示されるボス）及び第四ドッキング部６４（図示される貫通孔）をそれぞれ有する。ボディウォッシュボール２０に装設されると、ハンドル６０は一方で第二ラグ６２によりベース２１の第二背板２６の内の隣接する２つの第二リブ部２８の間に定位するように嵌合され、もう一方では左右に並列される第四ドッキング部６４及び第三ドッキング部６３によりベース２１の内の左右に隣接する２つの第一ドッキング部２５及び第二ドッキング部２９にそれぞれドッキングされる。このため、上述の構造によりボディウォッシュボール２０がハンドル６０に結合された後に勝手に回転しないようになる。
【実施例４】
【００２３】
第４実施形態では、ハンドル７０の構造は上述の第３実施形態とほぼ同じであり、主な差異は、ハンドル７０が第一ラグ７１及び第二ラグ７２の間に連接される接合部７３を有し、接合部７３の厚さが第一ラグ７１及び第二ラグ７２の厚さより薄い点である（図１１及び図１２参照）。また、ハンドル７０の接合部７３は第三ドッキング部７４（図示されるボス）を有し、ハンドル７０の第一ラグ７１及び第二ラグ７２は第四ドッキング部７５（図示される貫通孔）をそれぞれ有する。ボディウォッシュボール２０に装設される際に、ハンドル７０は一方では第一ラグ７１及び第二ラグ７２によりベース２１の第二背板２６の内の隣接する２つの第二リブ部２８の間にそれぞれ定位するように嵌合され、もう一方では左右の対応する２つの第四ドッキング部７５及び前述の２つの第四ドッキング部７５の間に位置される第三ドッキング部７４によりベース２１の内の左右の対応する２つの第一ドッキング部２５及び前述２つの第一ドッキング部２５の間に位置される第二ドッキング部２９にそれぞれ係合される。このため、上述の構造によりボディウォッシュボール２０がハンドル７０に結合された後に勝手に回転しないようになる。
【実施例５】
【００２４】
第５実施形態では、ハンドル８０の上端にはスロット８１及びスロット８１に連通される位置決め孔８２を有し、スロット８１及び位置決め孔８２が共同で第三ドッキング部８３を形成させる。また、位置決め孔８２の両端にはフランジ８２２をそれぞれ有する（図１３及び図１４参照）。ボディウォッシュボール２０のベース２１に装設される際に、ベース２１は第二背板２６の内の１つの第二リブ部２８によりハンドル４０のスロット８１内に挿設され、次いで位置決めピン８４によりハンドル８０に固定される。図１及び図５に示されるように、位置決めピン８４は隣接する２つのヘッド部８５及び２つのヘッド部８５に連接される胴部８６を有し、２つのヘッド部８５は位置決め孔８２のフランジ８２２にそれぞれ当接され、胴部８６はハンドル８０の位置決め孔８２及び前述の位置決め孔８２に対応させる第二ドッキング部２９（図示される貫通孔）に緊密に貫設される。このため、上述の構造によりボディウォッシュボール２０がハンドル８０に結合された後に勝手に回転しないようになる。
【実施例６】
【００２５】
第６実施形態では、ハンドル９０の構造は前述の第５実施形態とほぼ同じであり、同様に位置決めピン９４により固定され、主な差異は、ハンドル９０の上端には開放溝９１及び開放溝９１に連通される位置決め孔９２を有し、開放溝９１及び位置決め孔９２が共同で第三ドッキング部９３を形成させる点である（図１７及び図１８参照）。ボディウォッシュボール２０に装設される際に、ボディウォッシュボール２０は第二背板２６の内の１つの第二リブ部２８によりハンドル９０の開放溝９１に内設されると共に位置決めピン９４によりハンドル９０に固定される。なお、図１９に示されるように、位置決めピン９４は隣接する２つのヘッド部９５及び２つのヘッド部９５に連接される胴部９６を有し、２つのヘッド部９５はハンドル９０の正面及び第二背板２６の裏面にそれぞれ当接され、胴部９６はハンドル９０の位置決め孔９２及び前述の位置決め孔９２に対応させる第二ドッキング部２９（図示される貫通孔）に緊密に貫設される。このため、上述の構造によりボディウォッシュボール２０がハンドル９０に結合された後に勝手に回転しないようになる。
【００２６】
以上を総合すると、本発明に係るボディウォッシュ補助用具１０は多種類の異なる構造のハンドル４０〜９０を提供することでボディウォッシュボール２０を結合可能にし、結合された後に使用者はハンドル４０〜９０を使用してボディウォッシュボール２０を操作し、身体の各部位を徹底的に洗えるようになり、使用上の利便性が増す。また、図１６に示されるように、ハンドル４０〜９０が使用される以外、ボディウォッシュボール２０はベース２１の第一ドッキング部２５及び第二ドッキング部２９の間の組み合わせにより同じベース２１構造を有する他のボディウォッシュボール２０を着接可能になり、洗える面積を広げる効果を達成させる。
【００２７】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２８】
「第１実施形態」
１０  ボディウォッシュ補助用具
２０  ボディウォッシュボール
２１  ベース
２２  第一背板
２３  第一固定部
２４  第一リブ部
２５  第一ドッキング部
２５２  大径部
２５４  小径部
２６  第二背板
２７  第二固定部
２８  第二リブ部
２９  第二ドッキング部
２９２  大孔部
２９４  小孔部
３０  ボディウォッシュボール本体
３２  吸盤
３４  吸着部
３６  支持部
４０  ハンドル
４１  第三ドッキング部
４２  係合溝
５０  ハンドル
５１  第三ドッキング部
５２  突起部
５３  第四ドッキング部
６０  ハンドル
６１  第一ラグ
６２  第二ラグ
６３  第三ドッキング部
６４  第四ドッキング部
７０  ハンドル
７１  第一ラグ
７２  第二ラグ
７３  接合部
７４  第三ドッキング部
７５  第四ドッキング部
８０  ハンドル
８１  スロット
８２  位置決め孔
８２２  フランジ
８３  第三ドッキング部
８４  位置決めピン
８５  ヘッド部
８６  胴部
９０  ハンドル
９１  開放溝
９２  位置決め孔
９３  第三ドッキング部
９４  位置決めピン
９５  ヘッド部
９６  胴部
【図１】
2019025327.tif 000003
【図２】
2019025327.tif 000004
【図３】
2019025327.tif 000005
【図４】
2019025327.tif 000006
【図５】
2019025327.tif 000007
【図６】
2019025327.tif 000008
【図７】
2019025327.tif 000009
【図８】
2019025327.tif 000010
【図９】
2019025327.tif 000011
【図１０】
2019025327.tif 000012
【図１１】
2019025327.tif 000013
【図１２】
2019025327.tif 000014
【図１３】
2019025327.tif 000015
【図１４】
2019025327.tif 000016
【図１５】
2019025327.tif 000017
【図１６】
2019025327.tif 000018
【図１７】
2019025327.tif 000019
【図１８】
2019025327.tif 000020
【図１９】
2019025327.tif 000021